【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
メディアコンテンツ配信を制御する方法であって、
メディアコンテンツの配信のために、メディアコンテンツソースとメディア装置との間で、第１のデータチャンネルを介して、通信を確立することと、
該メディアコンテンツソースと該メディア装置との間で、バックチャンネルネットワークを介して、通信を確立することであって、該バックチャンネルネットワークは該第１のデータチャンネルと分かれている、ことと、
該メディア装置においてユーザコマンドを受信することと、
リアルタイムまたはほぼリアルタイムで、該バックチャンネルネットワークを介して、該ユーザコマンドに基づいて、メディア制御情報を該メディア装置から該メディアコンテンツソースへと送信することと、
該メディア装置から該バックチャンネルネットワークを介して送信された該メディア制御情報に応答して、該第１のデータチャンネルを介して、該メディアコンテンツの該メディア装置への配信を該メディアコンテンツソースにおいて制御することと
を含む、方法。
【請求項２】
クリアリングハウスにおいて前記メディア制御情報を受信することと、
該クリアリングハウスにおいて該メディア制御情報を処理することと、
該処理されたメディア制御情報を該クリアリングハウスから前記メディアコンテンツソースへと転送することと
を含む、請求項１に記載の方法。
【請求項３】
前記処理することは、前記メディア制御情報の少なくとも一部を、複数の情報フォーマットのうちの第１の情報フォーマットから第２の情報フォーマットへ変換することを含む、請求項２に記載の方法。
【請求項４】
前記メディアコンテンツソースは、少なくとも１つの配布設備を含む、請求項２に記載の方法。
【請求項５】
前記処理することは、前記メディア制御メッセージを送信するために、複数の配布設備のうちの前記少なくとも１つの配布設備を決定することを含む、請求項４に記載の方法。
【請求項６】
前記決定することは、場所、ＩＤ、およびユーザ機器装置に関する加入者情報のうちの少なくとも１つに基づく、請求項５に記載の方法。
【請求項７】
双方向メディアガイダンスシステムのためのクリアリングハウスサーバであって、該双方向メディアガイダンスシステムは、少なくとも１つのメディアコンテンツソースおよび少なくとも１つのユーザ機器装置を含み、該クリアリングハウスは、
トランシーバと、
該トランシーバと通信するプロセッサであって、ｉ）該少なくとも１つのユーザ機器装置からメディア制御メッセージを受信することと、ｉｉ）該メディア制御メッセージを処理することと、ｉｉｉ）少なくとも１つのメディアコンテンツソースへ該メディア制御メッセージを送信することとを行うように構成されている、プロセッサと
を含む、クリアリングハウスサーバ。
【請求項８】
前記処理することは、前記メディア制御メッセージを送信するために、複数のメディアコンテンツソースのうちの少なくとも１つのメディアコンテンツソースを決定することを含む、請求項７に記載のサーバ。
【請求項９】
前記決定することは、場所、ＩＤ、およびユーザ機器装置に関する加入者情報のうちの少なくとも１つに基づく、請求項８に記載のサーバ。
【請求項１０】
前記処理することは、複数の情報フォーマットのうちの第１の情報フォーマットから第２の情報フォーマットに、前記メディア制御メッセージの少なくとも一部分を変換することを含む、請求項７に記載のサーバ。
【手続補正２】
【補正対象書類名】明細書
【補正対象項目名】００２５
【補正方法】変更
【補正の内容】
【００２５】
本発明のこれらのおよび他の特徴および利点は、同様の要素が同様の参照記号で示されており、拡大縮小できない、以下の添付の図面を参照すると共に、以下の図面の説明からより完全に明らかとなるであろう。
例えば、本発明は以下の項目を提供する。
（項目１）
メディアコンテンツ配信を制御する方法であって、
メディアコンテンツの配信のために、メディアコンテンツソースとメディア装置との間で、第１のデータチャンネルを介して、通信を確立することと、
該メディアコンテンツソースと該メディア装置との間で、バックチャンネルネットワークを介して、通信を確立することであって、該バックチャンネルネットワークは該第１のデータチャンネルと分かれている、ことと、
該メディア装置においてユーザコマンドを受信することと、
リアルタイムまたはほぼリアルタイムで、該バックチャンネルネットワークを介して、該ユーザコマンドに基づいて、メディア制御情報を該メディア装置から該メディアコンテンツソースへと送信することと、
該メディア装置から該バックチャンネルネットワークを介して送信された該メディア制御情報に応答して、該第１のデータチャンネルを介して、該メディアコンテンツの該メディア装置への配信を該メディアコンテンツソースにおいて制御することと
を含む、方法。
（項目２）
クリアリングハウスにおいて上記メディア制御情報を受信することと、
該クリアリングハウスにおいて該メディア制御情報を処理することと、
該処理されたメディア制御情報を該クリアリングハウスから上記メディアコンテンツソースへと転送することと
を含む、項目１に記載の方法。
（項目３）
上記処理することは、上記メディア制御情報の少なくとも一部を、複数の情報フォーマットのうちの第１の情報フォーマットから第２の情報フォーマットへ変換することを含む、項目２に記載の方法。
（項目４）
上記バックチャンネルネットワークは、ローカルエリアネットワークを含む、項目１に記載の方法。
（項目５）
上記バックチャンネルネットワークは、無線ローカルエリアネットワークを含む、項目１に記載の方法。
（項目６）
上記バックチャンネルネットワークは、セルラ方式電話ネットワークを含む、項目１に記載の方法。
（項目７）
上記メディアコンテンツソースは、配布設備を含む、項目１に記載の方法。
（項目８）
上記送信することは、
少なくとも１つの配布設備へ、上記メディア制御情報を送信することと、
該少なくとも１つの配布設備において、上記メディアコンテンツソースから上記メディアコンテンツを取得することと
を含む、項目１に記載の方法。
（項目９）
上記メディアコンテンツソースは、少なくとも１つの配布設備を含む、項目２に記載の方法。
（項目１０）
上記処理することは、上記メディア制御メッセージを送信するために、複数の配布設備のうちの上記少なくとも１つの配布設備を決定することを含む、項目９に記載の方法。
（項目１１）
上記決定することは、場所、ＩＤ、およびユーザ機器装置に関する加入者情報のうちの少なくとも１つに基づく、項目１０に記載の方法。
（項目１２）
上記メディアコンテンツは、メディア番組、メディア番組リスト、メディア番組のスケジュール、メディアコンテンツのメタデータ、ユーザ機器装置のアプリケーション、およびユーザ機器装置アプリケーション更新のうちの少なくとも１つを含む、項目１に記載の方法。
（項目１３）
上記メディア制御情報は、メディア番組、メディア番組のリスト、メディア番組のスケジュール、ユーザ機器装置のアプリケーション、メディアコンテンツのメタデータ、ＶＣＲと同様のコマンド、およびユーザ機器装置アプリケーション更新のうちの少なくとも１つのオーダーを含む、項目１に記載の方法。
（項目１４）
上記ＶＣＲと同様のコマンドは、再生、一時停止、早送り、および巻き戻しのうちの１つを含む、項目１３に記載の方法。
（項目１５）
上記クリアリングハウスは、双方向番組ガイド、ウェブサーバ、およびユーザアプリケーション配布サーバのうちの少なくとも１つを含む、項目２に記載の方法。
（項目１６）
上記クリアリングハウスは、加入者データベース、ユーザ機器アプリケーションデータベース、ネットワークプロバイダデータベース、およびメディアコンテンツデータベースのうちの少なくとも１つを含む、項目２に記載の方法。
（項目１７）
上記第１のデータチャンネルは、一方向メディアネットワークを含む、項目１に記載の方法。
（項目１８）
上記一方向メディアネットワークは、ケーブルテレビネットワーク、衛星テレビネットワーク、および無線メディア配信ネットワークのうちの１つを含む、項目１７に記載の方法。
（項目１９）
双方向メディアガイダンスシステムのためのメディア装置であって、該双方向メディアガイダンスシステムは、少なくとも１つのメディアコンテンツソースを含み、該メディア装置は、
トランシーバと、
該トランシーバと通信するプロセッサであって、該プロセッサは、ｉ）メディアコンテンツの配信のために、第１のデータチャンネルを介して該メディアコンテンツソースとの通信を確立することと、ｉｉ）バックチャンネルネットワークを介した該メディアコンテンツソースとの通信を確立することであって、該バックチャンネルネットワークが該第１のデータチャンネルと分かれている、ことと、ｉｉｉ）ユーザコマンドを受信することと、ｉｖ）リアルタイムまたはほぼリアルタイムで、該バックチャンネルネットワークを介して、該メディアコンテンツソースへ、該ユーザコマンドに基づいて、該メディア制御情報を送信することであって、該メディアコンテンツソースは、該バックチャンネルネットワークによって該メディア装置から送信されたメディア制御情報に応答して、該第１のデータチャンネルを介して、該メディア装置への該メディアコンテンツの配信を制御する、ことと、に対して構成された、プロセッサと
を含む、メディア装置。
（項目２０）
上記メディア制御情報を送信することは、クリアリングハウスへと該メディア制御情報を送信することを含み、該クリアリングハウスはメディア制御情報を処理し、上記メディアコンテンツソースへ該処理されたメディア制御情報を転送する、項目１９に記載の装置。
（項目２１）
上記クリアリングハウスが処理することは、複数の情報フォーマットのうちの第１の情報フォーマットから第２の情報フォーマットへと、上記メディア制御情報の少なくとも一部を変換することを含む、項目２０に記載の装置。
（項目２２）
上記バックチャンネルネットワークは、ローカルエリアネットワークを含む、項目１９に記載の装置。
（項目２３）
上記バックチャンネルネットワークは、無線ローカルエリアネットワークを含む、項目１９に記載の装置。
（項目２４）
上記バックチャンネルネットワークはセルラ方式電話ネットワークを含む、項目１９に記載の装置。
（項目２５）
上記メディアコンテンツソースは、配布設備を含む、項目１９に記載の装置。
（項目２６）
上記送信することは、
少なくとも１つの配布設備へ上記メディア制御メッセージを送信することと、
該少なくとも１つの配布設備において、上記メディアコンテンツを上記メディアコンテンツソースから取得することと
を含む、項目１９に記載の装置。
（項目２７）
上記メディアコンテンツソースは、少なくとも１つの配布設備を含む、項目２０に記載の装置。
（項目２８）
上記クリアリングハウスが処理することは、上記メディア制御メッセージを送信するために、複数の配布設備のうちの少なくとも１つの配布設備を決定することを含む、項目２７に記載の装置。
（項目２９）
上記決定することは、場所、ＩＤ、およびメディア装置に関する加入者情報のうちの少なくとも１つに基づく、項目２８に記載の装置。
（項目３０）
上記メディアコンテンツは、メディア番組、メディア番組リスト、メディア番組のスケジュール、メディアコンテンツのメタデータ、ユーザ機器装置のアプリケーション、およびユーザ機器装置のアプリケーション更新のうちの少なくとも１つを含む、項目１９に記載の装置。
（項目３１）
上記メディア制御情報は、メディア番組、メディア番組リスト、メディア番組のスケジュール、ユーザ機器装置のアプリケーション、メディアコンテンツのメタデータ、ＶＣＲと同様のコマンド、およびユーザ機器装置のアプリケーション更新のうちの少なくとも１つのオーダーを含む、項目１９に記載の装置。
（項目３２）
上記ＶＣＲと同様のコマンドは、再生、一時停止、早送り、および巻き戻しのうちの１つを含む、項目３１に記載の装置。
（項目３３）
上記クリアリングハウスは、双方向番組ガイド、ウェブサーバ、およびユーザアプリケーション配布サーバのうちの少なくとも１つを含む、項目２０に記載の装置。
（項目３４）
上記クリアリングハウスは、加入者データベース、ユーザ機器アプリケーションデータベース、ネットワークプロバイダデータベース、およびメディアコンテンツデータベースのうちの少なくとも１つを含む、項目２０に記載の装置。
（項目３５）
上記第１のデータチャンネルは、一方向メディアネットワークを含む、項目１９に記載の装置。
（項目３６）
上記一方向メディアネットワークは、ケーブルテレビネットワーク、衛星テレビネットワーク、および無線メディア配信ネットワークのうちの１つを含む、項目３５に記載の装置。
（項目３７）
双方向メディアガイダンスシステムのためのクリアリングハウスサーバであって、該双方向メディアガイダンスシステムは、少なくとも１つのメディアコンテンツソースおよび少なくとも１つのユーザ機器装置を含み、該クリアリングハウスは、
トランシーバと、
該トランシーバと通信するプロセッサであって、ｉ）該少なくとも１つのユーザ機器装置からメディア制御メッセージを受信することと、ｉｉ）該メディア制御メッセージを処理することと、ｉｉｉ）少なくとも１つのメディアコンテンツソースへ該メディア制御メッセージを送信することと、のために構成されている、プロセッサと
を含む、クリアリングハウスサーバ。
（項目３８）
上記処理することは、上記メディア制御メッセージを送信するために、複数のメディアコンテンツソースのうちの少なくとも１つのメディアコンテンツソースを決定することを含む、項目３７に記載のサーバ。
（項目３９）
上記決定することは、場所、ＩＤ、およびユーザ機器装置に関する加入者情報のうちの少なくとも１つに基づく、項目３８に記載のサーバ。
（項目４０）
上記処理することは、複数の情報フォーマットのうちの第１の情報フォーマットから第２の情報フォーマットに、上記メディア制御メッセージの少なくとも一部分を変換することを含む、項目３７に記載のサーバ。
（項目４１）
上記メディアコンテンツは、メディア番組、メディア番組リスト、メディア番組のスケジュール、メディアコンテンツのメタデータ、ユーザ機器装置のアプリケーション、およびユーザ機器装置のアプリケーション更新のうちの少なくとも１つを含む、項目３７に記載のサーバ。
（項目４２）
上記メディア制御メッセージは、メディア番組、メディア番組リスト、メディア番組スケジュール、ユーザ機器装置のアプリケーション、メディアコンテンツのメタデータ、ＶＣＲと同様のコマンド、およびユーザ機器装置のアプリケーション更新のうちの少なくとも１つのオーダーを含む、項目３７に記載のサーバ。
（項目４３）
上記ＶＣＲと同様のコマンドは、再生、一時停止、早送り、および巻き戻しのうちの１つを含む、項目４２に記載のサーバ。
（項目４４）
双方向番組ガイドを含む、項目３７に記載のサーバ。
（項目４５）
ウェブサーバを含む、項目３７に記載のサーバ。
（項目４６）
ユーザアプリケーション配布サーバを含む、項目３７に記載のサーバ。
（項目４７）
加入者データベース、ユーザ機器アプリケーションデータベース、ネットワークプロバイダデータベース、およびメディアコンテンツデータベースのうちの少なくとも１つを含む、項目３７に記載のサーバ。